(57)【要約】【課題】  火災受信機へ地区音響装置または非常警報装置のいずれか一方を選択して接続でき、どちらに対しても地区音響停止スイッチによる鳴動停止機能や、逐次鳴動機能を作用させることができる。【解決手段】  有電圧／無電圧切替手段によって、有電圧出力モードと無電圧出力モードを切替設定し、制御回線の駆動電圧を異ならせて、そこに地区音響装置または非常警報装置のいずれか一方を選択して接続できるようにしており、その制御回線を導出する地区音響出力部を制御して、鳴動停止機能や逐次鳴動機能を作用させることができる。【選択図】  図１
2005100094.tif 000002
【特許請求の範囲】
【請求項１】
火災感知器を接続した感知器回線を導出させた火災判別回路と、常開型の制御接点を有した外部出力端子を備えた地区音響出力部と、地区音響停止スイッチと、火災判別回路からの火災判別信号と地区音響停止スイッチの操作に応じて、上記地区音響出力部の常開型の制御接点を開閉制御する制御処理部とを備えた火災受信機において、
外部装置用駆動電源と、
上記地区音響出力部の外部出力端子から上記外部装置用駆動電源を出力させる有電圧出力モードと、上記外部装置用駆動電源を遮断して、上記常開型の制御接点を閉制御する無電圧出力モードとを切替え操作するための有電圧／無電圧切替手段とを備え、
上記制御処理部は、上記火災判別回路から火災判別信号が出力保持されている間は、有電圧出力モード、無電圧出力モードのいずれにおいても、上記制御接点を閉じ、その間に上記地区音響停止スイッチが操作されたときには、上記制御接点を所定時間だけ開いた後に再び閉じる動作をなす一方、上記火災判別回路からの火災判別信号の出力保持が解除されたときには、上記制御接点を開状態に復帰させる構成にしている、
火災受信機。
【請求項２】
請求項１において、
上記有電圧／無電圧切替手段は、
ジャンパーピンを差し替えて、上記外部装置用駆動電源と、上記制御接点を有した外部出力端子とを断、接するコネクタ部を備えた構成にしている、
火災受信機。
【請求項３】
請求項１、２のいずれかにおいて、
有電圧出力モードのときには、
上記地区音響出力部には、駆動電源を内部に持たない地区音響装置が接続され、
無電圧出力モードのときには、
上記地区音響出力部には、駆動電源を内部に有した非常警報装置が接続される、
火災受信機。
【発明の詳細な説明】
【技術分野】
【０００１】
本発明は、ビル等に設置され、各部屋などに配置された火災感知器からの感知信号を検出し、火災の発生を判別したときには、制御回線を駆動し、そこに接続されている地区音響装置あるいは非常警報装置を一斉に鳴動させて、公衆へ火災を報知する火災受信機の改良に関する。
【背景技術】
【０００２】
ビル等の建物に設置される従来の火災報知システムの構成を、図５のブロック図に示す。火災受信機１００は、例えば管理室に設置されており、複数の火災感知器２・・・を接続した感知器回線Ｓを火災判別回路１０３の火災入力端子１０１より導出させ、複数の地区音響装置３を接続した制御回線Ｌ１を地区音響出力部１０５の外部出力端子１０２より導出させている。各火災感知器２は、それぞれ各部屋の天上等に取り付けられ、その場所での火災を感知している。火災受信機１００は、火災判別回路１０３によって、感知器回線Ｓが結線されている火災入力端子１０１の状態を常時監視しており、火災判別回路１０３が火災感知器２の発報を判別すれば、火災判別信号を出力保持し、マイクロコントローラ等で形成される制御処理部１０４が表示部１０８に火災発生情報を表示させ、更に地区音響出力部１０５を作動して外部出力端子１０２に結線した地区音響装置３・・・を一斉に鳴動させて、建物内の公衆へ火災の発生を報知する。ここに、地区音響装置３・・・は、地区音響出力部１０５から有電圧信号を送出して駆動される。つまり、火災受信機１００内に予め設けた外部装置用駆動電源１０６、例えばＤＣ２４Ｖの電力供給を供給することで地区音響装置３・・・を駆動する。一方、火災代表出力部１２０は、火災発生を図示していない他設備へ移信するためのもので、火災代表出力端子１２１から火災代表信号が無電圧で出力され、火災判別回路１０３から出力される火災判別信号は、火災復旧動作がなされるまで保持される。また、鳴動を開始した地区音響装置３・・・は、地区音響停止スイッチ１Ｏ９の操作によって、鳴動停止を指令されれば、鳴動中の地区音響装置３を停止させることができる。この鳴動停止機能は、火災報知が誤報であるときに、いたずらに建物内の公衆を混乱させないための機能であるが、地区音響停止スイッチ１Ｏ９による鳴動停止期間は制限されており、火災判別信号が出力されている間は、地区音響停止スイッチ１０９を操作しても、制御処理部１０４が所定時間の経過を判断すれば、鳴動停止状態を解除して、鳴動を再開させるようになっている。この鳴動を再開させる機能は逐次鳴動機能と呼ばれ、係員による地区音響装置３の鳴動停止解除忘れに備えるものである。
【０００３】
近年、上記のような火災報知システムを、個々に電源回路を有した非常警報装置４のみが設置されている小規模ビルへ導入したいという要望が増加しつつあるが、この背景には、近年の小規模な雑居ビルの火災事故などが影響している。
【０００４】
図６は、そのような非常警報装置４を制御回線Ｌ２によって上述の火災受信機１００に接続した火災報知システムを示している。
【０００５】
非常警報装置４も、上記地区音響装置３と同様に鳴動可能であるが、火災受信機から電源供給されず、個々に電源回路を備えており、火災受信機１００の制御回線Ｌ２に接続して、火災受信機からは無電圧信号を受けて作動されるようになっており、この点で、地区音響装置３とは相違している。したがって、このような非常警報装置４を、地区音響装置３と同様にして、火災受信機１００の外部出力端子１０２に接続することはできず、制御回線Ｌ２は無電圧出力の火災代表出力端子１２１に接続される。
【０００６】
なお、下記の特許文献には、制御回線設定コネクタにより、制御回線に対する給電端子、共通端子の接続を切換設定することにより、制御回線に有電圧で駆動される地区ベル、無電圧で駆動される非常放送装置を選択的に接続できるフレキシブル火災受信機が開示されている。しかし、下記の特許文献には、地区ベルや非常放送装置に対する鳴動停止機能、逐次鳴動機能に関しての記載はなく、また、そのような教示もない。
【特許文献１】特開２００１−２０９８６５
【発明の開示】
【発明が解決しようとする課題】
【０００７】
上述の火災受信機においては、地区音響停止スイッチ１０９による鳴動停止機能や逐次鳴動機能は、有電圧で駆動する地区音響装置３の地区音響出力部１０５によって可能となるが、無電圧で制御される非常警報装置４の鳴動を一時停止、再開できない。そのため、従来の火災受信機では、図６に示したように、制御回線Ｌ２に手動制御接点５００を介在させて、非常警報装置４の鳴動を手動により一時停止、再開するなどの工夫をしているが、この場合、逐次鳴動機能が作用しないので、手動制御接点５００を戻し忘れれば、火災復旧後は、非常警報装置４を鳴動させられないという問題がある。
【０００８】
本発明は、そのような手動制御接点を不要にして、制御回線へ地区音響装置または非常警報装置のいずれか一方を選択して接続でき、どちらに対しても地区音響停止スイッチによる鳴動停止機能や、逐次鳴動機能が実現できる火災受信機を提案することを目的としている。
【課題を解決するための手段】
【０００９】
上記目的を達成するために提案される、本発明の請求項１による火災受信機は、火災感知器を接続した感知器回線を導出させた火災判別回路、常開型の制御接点を有した外部出力端子を備えた地区音響出力部、地区音響停止スイッチ、火災判別回路からの火災判別信号と地区音響停止スイッチの操作に応じて、上記地区音響出力部の常開型の制御接点を開閉制御する制御処理部とを備えた火災受信機において、外部装置用駆動電源と、上記地区音響出力部の上記外部出力端子から上記外部装置用駆動電源を出力させる有電圧出力モードと、上記外部装置用駆動電源を遮断して、上記常開型の制御接点を閉制御する無電圧出力モードとを切替え操作するための有電圧／無電圧切替手段とを備え、上記制御処理部は、上記火災判別回路から火災判別信号が出力保持されている間は、有電圧出力モード、無電圧出力モードのいずれにおいても、上記制御接点を閉じ、その間に上記地区音響停止スイッチが操作されたときには、上記制御接点を所定時間だけ開いた後に再び閉じる動作をなす一方、上記火災判別回路から出力保持されている火災判別信号が解除されたときには、上記制御接点を開いた状態に復帰させる。
【００１０】
本発明の請求項２では、上記有電圧／無電圧切替手段は、ジャンパーピンを差し替えて、上記外部装置用駆動電源と、上記制御接点を有した外部出力端子とを断、接するコネクタ部を備える。
【００１１】
本発明の請求項３では、火災受信機には、有電圧出力モードのときには、上記地区音響出力部には、駆動電源を内部に持たない地区音響装置が接続され、無電圧出力モードのときには、上記地区音響出力部には、駆動電源を内部に有した非常警報装置が接続される。
【発明の効果】
【００１２】
請求項１による火災受信機では、地区音響出力部に、外部装置用駆動電源、有電圧／無電圧切替手段を設けているので、制御処理部による制御プログラムを変更するだけで、有電圧出力モード、無電圧出力モードを使い分けて実行でき、地区音響装置、非常警報装置を地区音響出力部へそのまま接続できる。更に、無電圧出力モードの実行時にも、地区音響停止スイッチを使用しての鳴動停止ができ、逐次鳴動も可能となる。
【００１３】
請求項２による火災受信機では、ジャンパーピンと、コネクタ部との組み合わせで有電圧／無電圧切替手段を構成でき、設定操作も容易である。
【００１４】
また、請求項３による火災受信機では、地区音響出力部には、地区音響装置と非常警報装置とを外部装置として使い分けて接続できる。
【発明を実施するための最良の形態】
【００１５】
本発明による火災受信機の一実施例を、以下図について説明する。
【実施例】
【００１６】
この火災受信機１による火災報知システムは、図１、図１Ａに示すように、火災受信機１の火災入力端子１１から複数の火災感知器２を接続された火災感知器回線Ｓを導出させて構成されている。更に地区音響出力部１５の外部出力端子１２には制御回線Ｌを導出させ、外部装置として、地区音響装置３・・・が接続されている。
【００１７】
外部装置としては、図２のように、火災受信機１からは電源供給を受けない、個々に電源回路を内蔵した非常警報装置４を接続することもできる。この非常警報装置４は、電池を内蔵する他、図示されない電力装置から電源が供給されている。
【００１８】
火災受信機１では、火災判別回路１３が、感知器回線Ｓに接続された火災感知器２のいずれかの発報を検知して、火災を判別すると、制御部処理部１４は、後述する有電圧／無電圧切替手段１７によって設定された有電圧出力モード、無電圧出力モードに応じて、地区音響出力部１５を作動する。
【００１９】
すなわち、有電圧出力モードでは、火災受信機１の内部に設けた外部装置用駆動電源１６、例えば、ＤＣ２４Ｖが、制御回線Ｌに接続されて、制御接点１５aが閉じることによって、制御回線Ｌには外部装置用駆動電源１６が供給され、地区音響装置３・・・は一斉に鳴動する。
【００２０】
また、無電圧出力モードでは、火災受信機１の内部に設けた外部装置用駆動電源１６が制御回線Ｌから遮断され、制御接点１５aが閉じることによって、制御回線Ｌに接続された非常警報装置４には、無電圧信号が送られ、非常警報装置４・・・は一斉に鳴動する。
【００２１】
有電圧／無電圧切替手段１７は、ハード的な切替スイッチや火災受信機１の表示操作部に設定画面を表示させて操作するソフトスイッチで構成してもよいが、図３のように、ジャンパーピン１７ａと、このジャンパーピン１７ａで、接続ピンＪ１〜Ｊ４の一部を短絡、遮断させるコネクタ部１７ｂとを組み合わせ、ジャンパーピン１７ａの差し替えで、外部装置用駆動電源１６を、制御回線Ｌ１に断、接する構成にしてもよい。
【００２２】
図３では、有電圧／無電圧切替手段１７は、外部装置用駆動電源１６と地区音響出力部１５との間に配置され、ジャンパーピン１７ａと、接続ピンＪ１〜Ｊ４を突出させたコネクタ部１７ｂで形成されている。ここで、図３（ａ）のように、接続ピンＪ１とＪ２、及び接続ピンＪ３とＪ４をジャンパーピン１７ａで各々短絡させれば、外部装置用駆動電源１６は制御回線Ｌに接続されて、有電圧出力モードになり、（ｂ）のように、接続ピンＪ２とＪ３とをジャンパーピン１７ａで短絡させれば、外部装置用駆動電源１６は制御回線Ｌから遮断されて無電圧出力モードになる。地区音響出力部１５は、制御処理部１４に制御される常開型の制御接点１５ａを備えており、この開、閉により制御回線Ｌに有電圧信号、無電圧信号を送出している。
【００２３】
つぎに、火災受信機１の報知動作を説明する。ここで火災受信機１が有電圧出力モードに設定されていれば、火災判別回路１３からの火災判別信号を受け、火災発生を判別すると、制御処理部１４は、地区音響出力部１５の制御接点１５ａを閉じる。その結果、制御回線Ｌには外部装置用駆動電源が有電圧信号として供給されるので、地区音響装置３を一斉に鳴動させる。また、無電圧出力モードに設定されていれば、制御処理部１４は、地区音響出力部１５の制御接点１５ａを閉じるが、この場合には、制御回線Ｌには外部装置用駆動電源１６が遮断されるので、非常警報装置４には、無電圧信号が供給され、一斉に鳴動させる。いずれの出力モードにおいても、表示部１８に火災発生情報を表示させるが、この鳴動は、火災復旧操作がなされて、火災判別回路１３からの火災判別信号の出力保持が解除されない限り保持される。
【００２４】
地区音響停止スイッチ１９は、地区音響装置３あるいは非常警報装置４の鳴動を、係員の手動操作で一時停止させる鳴動停止機能を実現している。鳴動停止機能は、誤報による建物内公衆の混乱を最小限に抑制するためになされる。すなわち、地区音響装置３あるいは非常警報装置４の鳴動が開始された直後に、係員が地区音響停止スイッチ１９を操作すると、制御処理部１４は、制御接点１５ａを開かせ、その鳴動を一時停止させる。その後、係員は火災発生現場へ急行して、その原因を確認する。もし、それが「たばこの煙」や「調理場の水蒸気」であれば、それを片付けたあと、地区音響停止スイッチ１９を再び操作して、鳴動の一時停止を解除する。このときには、「たばこの煙」や「調理場の水蒸気」などの原因は排除されているから、制御処理部１４が地区音響出力部１５の制御接点１５ａを再び閉じることはなく、鳴動が再開されることはないが、真の火災発生であれば、火災判別回路１３が火災判別信号を出力保持している間は、鳴動を所定時間停止させた後、制御処理部１４は制御接点１５ａを再び閉じるので、鳴動は再開される（逐次鳴動機能）。
【００２５】
なお、火災代表出力部２０は、火災判別回路１３からの火災判別信号を、図に示されていない他の装置へ移報するもので、火災代表出力端子２１から無電圧信号が移報信号となって出力される。
ここで、処理制御部１４による上述の制御手順を、図４のフローチャートについて説明する。火災受信機１が火災監視を開始すると、制御処理部１４は定期的に火災判別回路１３からの火災判別信号を確認しながら待機する（Ｓ１のＮｏでループ）。ここで、火災が発生して、火災判別回路１３が火災判別信号を出力すると、制御処理部１４は地区音響出力部１５の制御接点１５ａを閉じ、そこへ接続されている地区音響装置３または非常警報装置４の鳴動を開始させる（Ｓ２）。その後、制御処理部１４は、地区音響停止スイッチ１９がその鳴動を一時停止させるために操作されたか否かを確認し、更に火災判別回路１３からの火災判別信号が出力維持されているかを確認する。
【００２６】
地区音響停止スイッチ１９が操作されず、かつ火災判別信号が出力維持されていれば、地区音響停止スイッチ１９の操作確認と、火災判別信号の出力維持の確認が繰り返される（Ｓ３でＮｏ、Ｓ４でＹｅｓのループ）。火災復旧動作がなされ、火災判別回路１３からの火災判別信号の出力保持が解除されると、制御処理部１４は地区音響出力部１５の制御接点１５ａを開くので、地区音響装置３または非常警報装置４の鳴動は停止し（Ｓ５）、最初へ戻り、火災判別回路１３からの火災判別信号を確認しながら待機する（Ｓ１）。
【００２７】
一方、制御処理部１４は、地区音響出力部１５の制御接点１５ａを閉じて地区音響装置３または非常警報装置４を鳴動させている間に、地区音響停止スイッチ１９が鳴動を一時停止させるために操作されたことを確認すれば（Ｓ３でＹｅｓ）、地区音響出力部１５の制御接点１５ａを開いて、地区音響装置３または非常警報装置４の鳴動を一時停止させる（Ｓ６）。この後、地区音響停止スイッチ１９が鳴動を再開させるために、再操作されたか否かを確認し、更に所定時間（例えば２分または４分など）が経過したか否かを確認する（Ｓ７）。そして、地区音響停止スイッチ１９が再操作されず、所定時間も経過していない間は、これらの確認が繰り返されるが（Ｓ７でＮｏ、Ｓ８でＮｏのループ）、そのときに、地区音響停止スイッチ１９が再操作されるか（Ｓ７でＹｅｓ）、あるいは所定時間が経過すれば（Ｓ８でＹｅｓ）、制御処理部１４は、最初の処理へ戻り、火災判別回路１２からの火災判別信号を確認する（Ｓ１）。このとき、火災判別信号が出力維持されていれば（Ｓ１で再びＹｅｓ）、制御処理部１４は地区音響出力部１５の制御接点１５ａを再び閉じて、地区音響装置３または非常警報装置４の鳴動を再開させる（Ｓ２）。
【産業上の利用可能性】
【００２８】
本発明による火災受信機は、制御回線へ地区音響装置または非常警報装置のいずれか一方を選択して接続でき、どちらに対しても地区音響停止スイッチによる鳴動停止機能や、逐次鳴動機能を有効に作用させることができるので、特に非常警報装置のみを既設されている小規模なビル用の火災受信機として最適である。
【図面の簡単な説明】
【００２９】
【図１】本発明による火災受信機の一実施例の構成（地区音響装置を外部装置として使用した例）と、それを用いた火災報知システムを示すブロック図である。
【図１Ａ】火災受信機の構成を示すブロック図。
【図２】本発明による火災受信機の他例の構成（非常警報装置を外部装置として使用した例）と、それを用いた火災報知システムを示すブロック図である。
【図３】有電圧／無電圧切替手段と、地区音響出力部の構成を示すブロック図である。
【図４】鳴動制御の基本動作を説明するフローチャートである。
【図５】従来の火災受信機の構成（地区音響装置を外部装置として使用した例）と、それを用いた火災報知システムを示すブロック図である。
【図６】従来の火災受信機の構成（非常警報装置を外部装置として使用した例）と、それを用いた火災報知システムを示すブロック図である。
【符号の説明】
【００３０】
１・・・・・火災受信機
１２・・・・外部出力端子
１３・・・・火災判別回路
１４・・・・制御処理部
１５・・・・地区音響出力部
１５ａ・・・常開型の制御接点
１６・・・・外部装置駆動用電源
１７・・・・有電圧／無電圧切替手段
１７ａ・・・ジャンパーピン
１７ｂ・・・コネクタ部
１９・・・・地区音響停止スイッチ
３・・・・・地区音響装置
４・・・・・非常警報装置
Ｓ・・・・・火災感知器
Ｌ・・・・・制御回線
【図１】
2005100094.tif 000003
【図１Ａ】
2005100094.tif 000004
【図２】
2005100094.tif 000005
【図３】
2005100094.tif 000006
【図４】
2005100094.tif 000007
【図５】
2005100094.tif 000008
【図６】
2005100094.tif 000009